(57)【特許請求の範囲】
【請求項１】
硝酸とリン酸と酢酸とを含む金属エッチングプロセスに用いる混酸液の定量分析方法であって、混酸液の組成が、硝酸濃度０．１〜２０重量％、リン酸濃度５０〜８０重量％、酢酸濃度２〜２０重量％、水濃度１〜２０重量であり、そして、硝酸の濃度は紫外吸光光度法によって定量し、リン酸の濃度は混酸液のドライアップ後の中和滴定法によって定量し、酢酸の濃度は合計酸当量からの硝酸当量とリン酸当量の差し引き法によって算出することを特徴とする金属エッチングプロセスに用いる混酸液の定量分析方法。
【発明の詳細な説明】
【０００１】
【発明の属する技術分野】
本発明は、金属エッチングプロセスに用いる混酸液の定量分析方法に関するものである。
【０００２】
【従来の技術】
従来、半導体回路の形成に使用するシリコンウェハーのエッチングには、各種の混酸液が使用されている。そして、これらの混酸液の品質管理においては各成分の定量分析が必要となる。
【０００３】
ところで、硝酸とリン酸から成る混酸液の場合は、リン酸の２段階中和反応を利用し、硝酸とリン酸の定量分析を精度良く行うことが出来る。ところが、硝酸とリン酸と酢酸とから成る混酸液や更に界面活性剤などの添加剤を含む混酸液の場合は、リン酸の２段階目の中和反応時に酢酸の中和反応が重なるため、定量分析が困難となる。
【０００４】
【発明が解決しようとする課題】
本発明は、上記実情に鑑みなされたものであり、その目的は、硝酸とリン酸と酢酸とから成る混酸液や更に界面活性剤などの添加剤を含む混酸液に対する、効率的で且つ精度の高い定量分析方法を提供することにある。
【０００５】
【課題を解決するための手段】
すなわち、本発明の要旨は、硝酸とリン酸と酢酸とを含む金属エッチングプロセスに用いる混酸液の定量分析方法であって、混酸液の組成が、硝酸濃度０．１〜２０重量％、リン酸濃度５０〜８０重量％、酢酸濃度２〜２０重量％、水濃度１〜２０重量であり、硝酸の濃度は紫外吸光光度法によって定量し、リン酸の濃度は混酸液のドライアップ後の中和滴定法によって定量し、酢酸の濃度は合計酸当量からの硝酸当量とリン酸当量の差し引き法によって算出することを特徴とする金属エッチングプロセスに用いる混酸液の定量分析方法に存する。
【０００６】
【発明の実施の形態】
以下、本発明を詳細に説明する。本発明の分析対象となる混酸液は、硝酸とリン酸と酢酸とを含み、必要に応じて界面活性剤などの添加剤を含む水溶液であり、水を含む上記の必須成分基準の組成は、次の通りである。すなわち、硝酸濃度は、０．１〜２０重量％、好ましくは０．５〜１２重量％、更に好ましくは３〜８重量％、リン酸濃度は、５０〜８０重量％、好ましくは７０〜８０重量％、酢酸濃度は、２〜２０重量％、好ましくは２〜１０重量％、水濃度１〜２０重量である。また、添加剤としては、界面活性剤の他、フッ化アンモニウム、錯化剤などが挙げられ、これらの濃度は、通常０．００１〜１重量％、好ましくは０．０１〜１重量％、更に好ましくは０．２〜０．５重量％である。
【０００７】
本発明において、硝酸の定量分析は、硝酸濃度既知の基準液により作成した検量線を用いた紫外吸光光度法によって行う。上記の基準液の調製には、例えば硝酸カリウム等の硝酸塩の水溶液が用いられる。
【０００８】
本発明において、リン酸の定量分析は、混酸液のドライアップ後の中和滴定法によって行う。ドライアップは、通常、沸騰湯浴上で試料を３０〜６０分間加熱することにより行われる。これにより、不揮発性であるリン酸は、試料中にそのまま残るが、リン酸以外の酸（硝酸と酢酸）は試料から除去される。ドライアップ後の中和滴定は、通常、標準液として１ｍｏｌ／Ｌの水酸化ナトリウム水溶液を用いて行われる。
【０００９】
一般に、リン酸は、水中で３段階に解離し、３価の酸として知られているが、中和滴定においては、以下に示す２段階の反応が起こり、２価の酸として扱われて酸当量が計算される。
【００１０】
【化１】
＜第１段階：ｐＨ２．９〜４．５＞
Ｈ3ＰＯ4  +  ＮａＯＨ  ＝  ＮａＨ2ＰＯ4  +  Ｈ2Ｏ
＜第２段階：ｐＨ４．５〜＞
ＮａＨ2ＰＯ4  +  ＮａＯＨ  ＝  Ｎａ2ＨＰＯ4  +  Ｈ2Ｏ
【００１１】
本発明において、酢酸の濃度は、合計酸当量から硝酸当量とリン酸当量の合計を差し引くこと（差し引き法）によって算出する。具体的には次式により求められる。
【００１２】
【数１】
酢酸当量＝合計酸当量−（硝酸当量＋リン酸当量）
【００１３】
一方、混酸液の合計酸当量は、以下の２段階中和反応に示される通り、通常、標準液に１ｍｏｌ／Ｌの水酸化ナトリウム水溶液を用いた中和滴定によって求められる。
【００１４】
【化２】
＜第１段階＞
ＨＮＯ3  +  ＮａＯＨ  ＝  ＮａＮＯ3  +  Ｈ2Ｏ
Ｈ3ＰＯ4  +  ＮａＯＨ  ＝  ＮａＨ2ＰＯ4  +  Ｈ2Ｏ
＜第２段階＞
ＣＨ3ＣＯＯＨ  +  ＮａＯＨ  ＝  ＣＨ3ＣＯＯＮａ  +  Ｈ2Ｏ
ＮａＨ2ＰＯ4  +  ＮａＯＨ  ＝  Ｎａ2ＨＰＯ4  +  Ｈ2Ｏ
【００１５】
本発明における混酸液は、金属エッチングプロセスに用いられるが、具体的には、半導体装置基板や液晶素子基板の製造工程などにおける、金属（層）に対して微細な電極や金属配線を形成する、感光性樹脂などを用いた微細エッチングプロセスに用いられ、金属としては、アルミニウム、銀、銅などが挙げられる。
【００１６】
本発明の定量分析方法において、リン酸の定量分析は、アルミニウム、銀、銅などの金属イオンによって妨害され、結果にバラツキが生じる恐れがある。従って、測定対象は、上記の様な金属イオンが含まれていない混酸液が好ましい。混酸液からの金属イオンの除去は、カチオン型イオン交換樹脂やキレート樹脂によって容易に行うことが出来る。
【００１７】
【実施例】
以下、本発明を実施例により更に詳細に説明するが、本発明は、その要旨を超えない限り、以下の実施例に限定されるものではない。
【００１８】
実施例１
硝酸濃度１４．８重量％、リン酸濃度５９．９重量％、酢酸濃度５．０重量％の混酸液（残余は水）を調製した。そして、次の手順で必要な分析を行った。
【００１９】
（１）硝酸の定量分析：
先ず、上記の混酸液６ｇを水で希釈して２５０ｇとした。１ｇ当たり２５ｍｇの硝酸分となる様に調製した硝酸カリウム水溶液を基準液とし、３０２ｎｍ付近の吸光度を測定した。対照液は水とした。基準液と吸光度との関係より検量線を作成し、混酸液中の硝酸濃度を算出した。硝酸の濃度は１４．９重量％であった。硝酸当量は、（１４．９（重量％）／１００）／０．０６３１＝２．３６５（ｍｅｑ．）であった。ここで、０．０６６３１は、１ｍｏｌ／Ｌの水酸化ナトリウム１ｍｌに相当する硝酸量（ｇ）である。また、そのときのＣＶ値（変動係数）は０．３％であり、分析値のバラツキは小さかった。
【００２０】
（２）リン酸の定量分析：
先ず、上記の混酸液１ｇを煮沸水浴上で３０分以上加熱してドライアップを行った後、残渣全量を２００ｍｌの容器に洗い流し、１ｍｏｌ／Ｌの水酸化ナトリウム水溶液によって中和滴定を行ってリン酸濃度を算出した。リン酸濃度は５９．９重量％であった。リン酸当量は、（５９．９（重量％）／１００）／０．０４９００＝１２．２２４（ｍｅｑ．）であった。ここで、０．０４９００は、１ｍｏｌ／Ｌの水酸化ナトリウム１ｍｌに相当するリン酸量（ｇ）である。また、そのときのＣＶ値（変動係数）は０．０８％であった。
【００２１】
（３）合計酸当量からの硝酸当量とリン酸当量の差し引き法による酢酸の分析：先ず、上記の混酸液１ｇを水５０ｍｌで希釈し、１ｍｏｌ／Ｌの水酸化ナトリウム水溶液によって中和滴定を行って、混酸液中の合計酸当量を測定した。合計酸当量は１５．４２２ｍｅｑ．であった。次いで、合計酸当量から、上記の（１）及び（２）で求めた硝酸およびリン酸の酸当量を差し引きし、酢酸の当量を求めた。酢酸の当量は、１５．４２２−（２．３６５＋１２．２２４）＝０．８３３（ｍｅｑ．）となる。そして、酢酸の当量より酢酸濃度を算出した。酢酸の濃度は、０．８３３（ｍｅｑ．）×０．０６００５×１００＝５．０重量％であった。ここで、０．０６００５は、１ｍｏｌ／Ｌの水酸化ナトリウム１ｍｌに相当する酢酸量（ｇ）である。また、合計酸当量の測定におけるＣＶ値は０．０４％であった。
【００２２】
上記の実施例に示す通り、本発明によれば、簡単な操作により効率的で且つ高精度で混酸液中の硝酸、リン酸、酢酸の定量分析を行うことが出来る。これに対し、従来の方法では、測定に時間が掛かり、しかも、リン酸および酢酸の濃度は正確に分析できなかった。
【００２３】
本発明は、硝酸、リン酸、酢酸の３種の酸から成る混酸は、沸騰湯浴上で加熱することにより、リン酸を残したまま、容易に硝酸および酢酸を完全に除去することが出来るとの知見に基づくものであるが、斯かる知見は、例えば、エッチング液として使用済みの混酸廃液を沸騰湯浴上で加熱した後にカチオン型イオン交換樹脂やキレート樹脂で金属成分を除去する高純度のリン酸の回収方法にも利用することが出来る。
【００２４】
【発明の効果】
以上の通り、本発明によれば、硝酸とリン酸と酢酸とから成る混酸液や更に界面活性剤などの添加剤を含む混酸液に対する、効率的で且つ精度の高い定量分析方法を提供が提供されるが、混酸の品質管理における本発明の価値は大きい。